(57)【特許請求の範囲】
【請求項１】
ベースと、当該ベースとの間に単一の保持部を形成するように設けられた押さえ手段とを含み、前記保持部に筆記具の軸部分が位置した状態で当該筆記具が押さえ手段を介して前記ベースとの間に保持される筆記具ホルダーであって、
前記押さえ手段は、筆記具の外周に沿うように前記ベースに対して起立する方向に延びる第１及び第２の押さえ部材を含み、これら第１及び第２の押さえ部材は、基部から先端までの寸法がそれぞれ異なる構成とされ、軸径が異なる筆記具に応じて押さえ付けを行うように設けられていることを特徴とする筆記具ホルダー。
【請求項２】
前記第２の押さえ部材は、第１の押さえ部材よりも軸径の小さい筆記具を対象として第１の押さえ部材の領域内に配置されていることを特徴とする請求項１記載の筆記具ホルダー。
【請求項３】
前記第１の押さえ部材は、一対の起立部と、これら起立部の先端側を相互に連結する連結部とを備えた閉ループ状をなし、前記第２の押さえ部材は、前記起立部間に配置されていることを特徴とする請求項１又は２記載の筆記具ホルダー。
【請求項４】
請求項１ないし３の何れかに記載の筆記具ホルダーと、当該筆記具ホルダーを支持するプレート部材と、このプレート部材の端部に設けられて当該プレート部材との間に用紙類を挟みつけるクリップとを備えたことを特徴とする用箋挟。
【発明の詳細な説明】
【技術分野】
【０００１】
本発明は筆記具ホルダー及びこれを備えた用箋挟に係り、更に詳しくは、軸径の異なる複数の筆記具を単一の保持部に保持することのできる筆記具ホルダーと、これを備えた用箋挟に関する。
【背景技術】
【０００２】
従来より、書類等の支持面をなす略方形のプレート部材の一端部に、当該プレート部材との間に用紙類を挟み込むことのできるクリップを備えた用箋挟が知られている。この用箋挟は、挟み込まれた用紙への筆記を行う便宜から、プレート部材のコーナーや端部に筆記具を保持することのできる筆記具ホルダーを設ける場合がある。
【０００３】
このような筆記具ホルダーによれば、筆記具を一定の位置で安定して保持して筆記に備えることができるが、筆記具の軸径は大小様々のものが流通しているため、保持される筆記具の軸径によっては保持力が十分に得られない場合がある。
そこで、特許文献１には、軸径が異なる絵筆を対象として保持することのできるホルダーが提案されている。
【特許文献１】実用新案登録第３０６９８９８号公報
【発明の開示】
【発明が解決しようとする課題】
【０００４】
しかしながら、特許文献１に開示されたホルダーは、絵筆を挿通して絵筆の軸部分を保持する保持部が複数箇所に分散したタイプのものとなっている。従って、ホルダー自体の平面積は保持部の数に応じて大きくなり、小さなスペース若しくは限定的なスペースで筆記具を保持する構成には適合できない、という不都合がある。
【０００５】
［発明の目的］
本発明は、このような不都合に着目して案出されたものであり、その目的は、筆記具を単一の保持部で保持することができるとともに、軸径が大小異なる筆記具であっても一定の押さえ付け力を付与して筆記具を安定して保持することのできる汎用性を有する筆記具ホルダー及びこれを用いた用箋挟を提供することにある。
【課題を解決するための手段】
【０００６】
前記目的を達成するため、本発明は、ベースと、当該ベースとの間に単一の保持部を形成するように設けられた押さえ手段とを含み、前記保持部に筆記具の軸部分が位置した状態で当該筆記具が押さえ手段を介して前記ベースとの間に保持される筆記具ホルダーであって、
前記押さえ手段は、筆記具の外周に沿うように前記ベースに対して起立する方向に延びる第１及び第２の押さえ部材を含み、これら第１及び第２の押さえ部材は、基部から先端までの寸法がそれぞれ異なる構成とされ、軸径が異なる筆記具に応じて押さえ付けを行うように設けられる、という構成を採っている。
【０００８】
また、前記押さえ手段は、筆記具の外周に沿うように前記ベースに対して起立する方向に延びる第１及び第２の押さえ部材を含み、第２の押さえ部材は、第１の押さえ部材よりも軸径の小さい筆記具を対象として第１の押さえ部材の領域内に配置される、という構成を採るとよい。
【０００９】
更に、前記第１の押さえ部材は、一対の起立部と、これら起立部の先端側を相互に連結する連結部とを備えた閉ループ状をなし、前記第２の押さえ部材は、前記起立部間に配置される、という構成を採っている。
【００１０】
また、本発明に係る用箋挟は、請求項１ないし３の何れかに記載の筆記具ホルダーと、当該筆記具ホルダーを支持するプレート部材と、このプレート部材の端部に設けられて当該プレート部材との間に用紙類を挟みつけるクリップとを備えて構成されている。
【発明の効果】
【００１１】
本発明によれば、複数の押さえ部材によって押さえ手段を構成したから、軸径が異なる種々の筆記具に対して安定した押さえ付け力を付与することができ、しかも、筆記具を保持する箇所を一箇所として小さなスペースを利用して筆記具を保持することが可能となる。
また、第１及び第２の押さえ部材の基部から先端までの寸法をそれぞれ異なる構成とすることで、軸径が異なる筆記具への対応が容易となり、構成を簡易なものとすることができる。
更に、第２の押さえ部材が第１の押さえ部材よりも軸径の小さい筆記具を対象として第１の押さえ部材の内側に配置された構成では、第１の押さえ部材の大きさを最大としたサイズで筆記具ホルダーを形成することができる。
また、第１の押さえ部材が、一対の起立部と、これら起立部の先端側を相互に連結する連結部とを備えた構成である場合には、大径の筆記具を保持するに十分な強度を第１の押さえ部材に付与することができる。また、第２の押さえ部材は、第１の押さえ部材によって保持された筆記具に対して補助的に押さえ付け力を付与することもできる。
【発明を実施するための最良の形態】
【００１２】  以下、本発明の実施形態を、図面を参照しながら詳細に説明する。【００１３】
図１には、本実施形態に係る用箋挟の要部概略斜視図が示され、図２にはその分解斜視図が示されている。これらの図において、用箋挟１０は、ベースを構成する略方形のプレート部材１１と、このプレート部材１１の図中上端部に配置されたクリップ１２と、このクリップ１２の側部、すなわちプレート部材１１のコーナーに配置された筆記具ホルダー１３とを備えて構成されている。
【００１４】
前記プレート部材１１は、その上部右側コーナー部に四つの突部１５が形成されており、これら突部１５で囲まれる領域内に筆記具Ｐを保持する単一の保持部１６が形成される。ここで、前記四つの突部１５のうち、プレート部材１１の右端部側の上下二つの突部１５は、図５に示されるように、それらの上端が左側の突部１５の上端に対して相対的に高い位置となる大きさに設定することが好ましい。また、プレート部材１１は、前記保持部１６の左側に角穴１８が形成されているとともに、当該角穴１８の左側にはスロット穴１９及び起立軸受２０がそれぞれ形成されている。
【００１５】
前記クリップ１２は、プレート部材１１の上端部に沿って延びる板状をなし、その長手方向両側の下面側に突片２１を介して回転軸２２が形成されている。この回転軸２２は、前記起立軸受２０の穴２０Ａに回転可能に受容される。また、このクリップ１２は、図示しないばねを介して上端１２Ａがプレート部材１１から離れる方向に付勢されており、これにより、下端部１２Ｂがプレート部材１１の面を押圧して書類を挟み付けできるようになっている。
【００１６】
前記筆記具ホルダー１３は、平面視略方形の板状の支持体２５と、この支持体２５の一端すなわち図２中左端から起立する三つの取付片２６と、支持体２５の他端に連設された押さえ手段２７とにより構成されている。支持体２５の左側領域は、前記角穴１８及びスロット穴１９間におけるプレート部材１１の裏面側に位置可能に設けられる一方、右側領域は、角穴１８内に表出するように設けられ、これにより、押さえ手段２７が変位するときに、支持体２５の一部も変位可能として変形量が大きく確保できるようになっている。取付片２６はスロット穴１９をプレート部材１１の裏面側から貫通して当該プレート部材１１の表面側に突出するように構成されており、三つの取付片２６のうち、中央部の取付片２６の先端部には、図５に示されるようにフック部２６Ａが形成されている。従って、フック部２６Ａがスロット穴１９の形成縁に引っ掛かることで筆記具ホルダー１３は脱落不能に固定されることとなる。
【００１７】
前記押さえ手段２７は、図３及び図４に示されるように、筆記具Ｐの軸径に応じて押さえ付けを行う第１の押さえ部材３０と、第２の押さえ部材３１とにより構成されている。第１の押さえ部材３０は、大径の軸径を備えた筆記具Ｐを対象としてプレート部材１１側に押さえ付けるためのものであり、第２の押さえ部材３１は、第１の押さえ部材３０が対象とする筆記具Ｐを補助的に押さえ付けるとともに、相対的に小径となる軸径の筆記具Ｐの押さえ付けに、特に適合するように構成されている。
【００１８】
これを更に詳述すると、第１の押さえ部材３０は、前記支持板２５の右側端部に連設されるとともに、筆記具Ｐの外周に沿うように前記プレート部材１１に対して起立する一対の起立部３３、３３と、これら起立部３３の先端側を相互に連結する連結部３４とからなり、前記支持板２５と相互に作用して閉ループ状をなすように形成されている。ここで、起立部３３は、図４に示されるように、支持板２５の右端から右側上方に略直線的に延びる傾斜部３３Ａと、この傾斜部３３Ａの先端から右側に湾曲した湾曲部３３Ｂとを含み、連結部３４は、湾曲部３３Ｂに連なるように湾曲して先端（右端）が前記傾斜部３３Ａの先端（上端）よりも幾分低い位置をとるように形成されている。
【００１９】
この一方、前記第２の押さえ部材３１は、前記起立部３３、３３間に位置して第１の押さえ部材３０で囲まれる内側起立部３５により構成されている。この内側起立部３５は、先端が前記湾曲部３３Ｂと連結部３４との境界位置によりも下方に位置するように緩やかに湾曲した形状に設けられ、これにより、第１の押さえ部材３０と第２の押さえ部材３１は、基部から先端までの寸法が異なる構成となっている。すなわち、第２の押さえ部材３１は、第１の押さえ部材３０よりも短い寸法設定となっている。
【００２０】
次に本実施形態における筆記具Ｐの保持要領について図５をも参照しながら説明する。
【００２１】
筆記具ホルダー１３が筆記具Ｐを保持していない状態では、図５（Ａ）に示されるように、第１及び第２の押さえ部材３０、３１は、成形時の形状を維持してプレート部材１１の面に最接近した状態に保たれる。
【００２２】
ここで、図５（Ｂ）に示されるように、例えば軸径１４．５ｍｍとなる筆記具Ｐを前記保持部１６内に挿通すると、押さえ手段２７は、前記支持体２５の右側領域が持ち上がるように変位し、前記第１の押さえ部材３０の連結部３４側が筆記具Ｐをプレート部材１１側に押さえ付けるように作用する。このとき、第２の押さえ部材３１は、先端側が大きく弾性変位し、その反力により、筆記具Ｐを右側の突部１５に押さえ付けるように補助的に作用する。このように、図５（Ｂ）で示される軸径を備えた筆記具Ｐは、第１の押さえ部材３０と第２の押さえ部材３１によって筆記具Ｐに押さえ付け力を付与することとなる。
【００２３】
また、例えば、軸径が１１ｍｍとなる筆記具Ｐの場合には、図５（Ｃ）に示されるように、第１及び第２の押さえ部材３０、３１の変位量は相対的に小さくなるものの同様に筆記具Ｐを押さえ付けるように作用する。また、軸径が７．５ｍｍ程度の筆記具Ｐの場合には、図５（Ｄ）に示されるように、第２の押さえ部材３１による押さえ付け力が積極的に作用するようになり、軸径の細い筆記具Ｐであっても、安定して保持することが可能となる。
【００２４】
このように、本実施形態によれば、第１及び第２の押さえ部材３０、３１を用いてプレート部材１１との間の保持部１６に筆記具Ｐをその軸径に応じて確実に保持する構成としたから、共通した保持位置で、軸径の異なる筆記具Ｐを保持することができる、という効果を得る。
【００２５】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【００２６】
例えば、前記実施形態で示した第１及び第２の押さえ部材３０、３１の形状、長さ、起立方向、屈曲若しくは湾曲形状は、本発明を理解するために例示的に示したものに過ぎず、必要に応じて形状等任意に変更することができる。
【００２７】
また、第２の押さえ部材３１は、第１の押さえ部材３０の領域内に配置された場合を図示、説明したが、第１の押さえ部材３０の領域外に設けることを妨げない。
【００２８】
更に、押さえ手段２７は、押さえ部材の数を更に増加させてもよい。この場合、第２の押さえ部材３１の更に内側領域に、第３の押さえ部材を設けること等が例示できる。
【００２９】
また、前記実施形態では、プレート部材１１をベースとして構成した場合を図示、説明したが、前記支持板２５の面を利用してベースを構成することもできる。
【図面の簡単な説明】
【００３０】
【図１】用箋挟の要部概略斜視図。
【図２】図１の分解斜視図。
【図３】筆記具ホルダーの拡大斜視図。
【図４】図３のＡ−Ａ線矢視断面図。
【図５】（Ａ）〜（Ｄ）は筆記具ホルダーの作用説明図。
【符号の説明】
【００３１】
１０  用箋挟
１１  プレート部材（ベース）
１２  クリップ
１３  筆記具ホルダー
１６  保持部
２７  押さえ手段
３０  第１の押さえ部材
３１  第２の押さえ部材
３３  起立部
３４  連結部
Ｐ  筆記具
【図１】
0005028647.tif 000002
【図２】
0005028647.tif 000003
【図３】
0005028647.tif 000004
【図４】
0005028647.tif 000005
【図５】
0005028647.tif 000006